(57)【特許請求の範囲】
【請求項１】
表示装置の底面部に固定される支持部材を介して取付部材に前記表示装置を上下または左右のいずれかの方向に角度調整が可能に取り付けた表示装置の取付構造であって、前記支持部材には貫通穴を有する凸部が設けられ、この凸部の内面に沿って摺動可能で雌ねじ部を有する摺動ナットが前記底面部と前記凸部との間に配置されるとともに、前記凸部内で回り止めされるようにカット面が設けられ、前記取付部材には前記凸部の外面に沿って摺動可能な受部が設けられており、この受部に設けられた穴部および前記貫通穴に締付ボルトを挿入して前記雌ねじ部にねじ締めしたことを特徴とする表示装置の取付構造。
【発明の詳細な説明】
【技術分野】
【０００１】
本発明は、例えば車両や船舶等に搭載される表示装置を取付部材に角度調整可能に支持させるための取付構造に関するものである。
【背景技術】
【０００２】
従来、この種の取付構造として、例えば下記特許文献１に記載のものが知られている。特許文献１における機器の支持スタンド装置は、表示装置としての例えばカーナビ用ディスプレイ装置１１を支持プレート４０を介して締付ボルト５３とトルク調整ノブ５５を用いて取付プレート３０（取付部材）に取付固定するものである。また、支持プレート４０および取付プレート３０に球面接合部が設けられているため、トルク調整ノブ５５を手で弛めたり、締め付けたりするだけでカーナビ用ディスプレイ装置１１の角度調整が容易に行えるというものである。
【特許文献１】特開平１０−３１８４８９号公報
【発明の開示】
【発明が解決しようとする課題】
【０００３】
しかしながら、上記特許文献１における機器の支持スタンド装置は、取付プレート３０や支持プレート４０などの他に受け部材５１や締付ボルト５３（あるいはナット５８）を必要とするなど部品点数が多く、その分組み付け工数がアップする。また、カーナビ用ディスプレイ装置１１は支持プレート４０に固定されるが、支持プレート４０などから構成される支持スタンド装置２０を予め組み付けておく必要がある。
【０００４】
本発明はこの様な点に鑑みなされたもので、部品点数を低減してシンプルな構造とすると共に、組み付け作業性を向上させた表示装置の取付構造を提供することを目的とする。
【課題を解決するための手段】
【０００５】
本発明は前記目的を達成するため、表示装置の底面部に固定される支持部材を介して取付部材に前記表示装置を上下または左右のいずれかの方向に角度調整が可能に取り付けた表示装置の取付構造であって、前記支持部材には貫通穴を有する凸部が設けられ、この凸部の内面に沿って摺動可能で雌ねじ部を有する摺動ナットが前記底面部と前記凸部との間に配置されるとともに、前記凸部内で回り止めされるようにカット面が設けられ、前記取付部材には前記凸部の外面に沿って摺動可能な受部が設けられており、この受部に設けられた穴部および前記貫通穴に締付ボルトを挿入して前記雌ねじ部にねじ締めしたものである。
【発明の効果】
【０００８】
部品点数を低減してシンプルな構造とすると共に、組み付け作業性を向上させた表示装置の取付構造を提供できる。
【発明を実施するための最良の形態】
【０００９】
本発明を車両用の表示装置に適用した実施形態として説明する。図１は表示装置の取付構造を示す断面図であり、図２は同裏面図である。図３は図２に於けるＡ−Ａ断面で、図１とは直交する方向の断面図である。図４は支持部材の凸部を示す裏面図である。図５は摺動ナットを示す正面図で、図６は摺動ナットの断面図（図５に於けるＢ−Ｂ断面）である。
【００１０】
表示装置１は、詳細は図示しないが、車両の速度や走行距離などを表示する表示器が合成樹脂製の上ケース２と下ケース３から構成されるケース内に収納されたものである。この表示装置１は、その中心よりやや上側に偏った箇所が車体側に取り付けられる取付部材４に支持部材５を介して締付ボルト６を用いて取付固定されるものである。なお、詳細は後述するが、締付ボルト６を弛めることによって左右方向（図２に矢印で示す方向）に表示装置１の角度（向き）が調整可能（回動可能）になるように構成してある。
【００１１】
支持部材５は剛性を有する亜鉛，鉄，アルミニウムなどの略板状の金属からなり、表示装置１を構成する下ケース３の底面部７に固定されるようになっている。この支持部材５には中空を有する凸部８が設けてあり、凸部８の形状は図３に示す様に半球状を基本としている。従って、取付部材４と接する外面は凸球面９であり、内面は凹球面１０となっているが、図１に示す方向のみ平行な壁部１１としてある。つまり、凸部８は略楕円状の突き出し部ということになる。また、凸部８の中央には左右方向（図２に於ける左右方向）が長手となる略楕円状の貫通穴１２が設けてある（図４参照）。なお、支持部材５は強度のある合成樹脂でも良い。
【００１２】
取付部材４も支持部材５と同様に剛性を有する亜鉛，鉄，アルミニウムなどの金属からなる。そして、支持部材５の凸球面９（外面）に接する受部１３が設けてある。この受部１３の凸部８側の受面１４は凸球面９と一致しており、受面１４とは反対側の面は平面１５としてある。また、受部１３の中央には穴部１６が設けてある。また、図１に示す平行な壁部１１を設けた側のみは、壁部１１に沿ったリブ１７が受部１３から一体に設けられている。また、図２に於ける左右方向と直交する方向であって、穴部１６の中心を通る線上に対応する箇所には下ケース３の底面部７に突き当てる略円柱状の突出部１８が一体に設けてあり、その先端は半球形状としてある。なお、本実施形態においては突出部１８の先端は底面部７に直に突き当てたものではなく、弾性ゴム１９を介在させてある。
【００１３】
２０は下ケース３の底面部７と支持部材５の凸部８との間に配置される金属製の摺動ナットである。そして、支持部材５の凹球面１０（内面）に接する面は凹球面１０と一致した球面２１としてあり、下ケース３の底面部７側の面は平面１５Ａとしてある。但し、前述した様に図１に示す方向のみ平行な壁部１１としてあるため、完全なる半球状ではなく、図５および図６に示す様にカット面２２が設けてある。従って、略楕円状の凸部８内に収納された摺動ナット２０は凸部８内で回らないようになっている（回り止めされている）。また、摺動ナット２０には雌ねじ部２３が設けてある。
【００１４】
締付ボルト６は一端に雄ねじ部２４と、他端に合成樹脂製のつまみ部２５と、このつまみ部２５と雄ねじ部２４との間に雄ねじ部２４より径大の軸部２６とを有する。つまみ部２５は軸部２６の一端側と一体形成されている。このつまみ部２５は手で回しやすい様に径大な形状としてある。
【００１５】
摺動ナット２０は下ケース３の底面部７と支持部材５の凸部８との間に配置されるが、下ケース３の底面部７は図３に示す方向のみ摺動ナット２０の中央を頂点とする傾斜角αの傾斜面２７が設けてあり、この傾斜面２７を設けることによって窪み２８が形成される。
【００１６】
表示装置１と取付部材４とを取り付ける方法について説明する。表示装置１を逆さにした状態で下ケース３の傾斜面２７に摺動ナット２０を載置する。この際、摺動ナット２０は窪み２８に少し傾いた状態で配置されるが特に不都合はない。そして、支持部材５を下ケース３にビス２９を用いて取付固定する。摺動ナット２０は下ケース３の底面部７と凸部８との間に配置された状態となる。
【００１７】
次に、取付部材４の受部１３を支持部材５の凸部８に重ねた状態で受部１３の平面１５側から穴部１６および貫通孔１２に締付ボルト６の雄ねじ部２４を挿入して、摺動ナット２０の雌ねじ部２３にねじ締めする。この際、摺動ナット２０が凸部８内で回り止めされているとともに、摺動ナット２０の平面１５Ａが下ケース３の底面部７に当接するため、締付ボルト６のつまみ部２５を回すのみで締付ボルト６の雄ねじ部２４が摺動ナット２０の雌ねじ部２３にねじ締めされて、  表示装置１と取付部材４とが取付固定される。なお、受部１３の平面１５と締付ボルト６の軸部２６との間に平座金３０とバネ座金３１を挿入する。この平座金３０とバネ座金３１は無くても良いが有った方が締付ボルト６の弛みに対する効果がある。
【００１８】
次に取付部材４に取付固定されている表示装置１の角度を調整する方法について説明する。表示装置１の角度を調整する必要がある場合とは、例えば車両の運転者が見やすいように表示装置１の向きを少し変えたい時などである。まず、つまみ部２５を回して締付ボルト６を少し弛める。そして、表示装置１を図２に示す左右いずれかの方向に傾けよう（回動しよう）とすると、凸部８の略楕円状の貫通穴１２が設けてあるため、表示装置１に固定された支持部材５の凸部８が取付部材４の受面１４と摺動ナット２０の球面２１に沿って摺動する。
【００１９】
言い換えると、取付部材４は凸部８の凸球面９に沿って摺動し、摺動ナット２０は凸部８の凹球面１０に沿って摺動する。表示装置１が傾く（回動する）ことによって、摺動ナット２０の周縁部が下ケース３の底面部７に形成された窪み２８に入って平面１５Ａが傾斜面２７に当接する。すなわち、表示装置１の角度調整（回動）可能範囲は下ケース３の底面部７と摺動ナット２０との間で定まるようになっており、最大の回動可能な角度は傾斜面２７の傾斜角αと同じくなる。また、弾性ゴム１９を介して取付部材４の突出部１８と突き当てられた下ケース３の底面部７箇所においても、先端が半球形状の突出部１８上で回動される。なお、前述した様に取付部材４の受部１３から一体に設けられたリブ１７が支持部材５の壁部１１に沿っているために、表示装置１は左右以外の方向には動かないようになっている。
【００２０】
この様に、下ケース３の底面部７に固定される支持部材５を介して取付部材４に表示装置１を左右方向に角度調整が可能に取り付けた表示装置１の取付構造であって、支持部材５には貫通穴１２を有する凸部８が設けられ、この凸部８の凹球面１０に沿って摺動可能で雌ねじ部２３を有する摺動ナット２０が底面部７と凸部８との間に配置され、取付部材４には凸部８の凸球面９に沿って摺動可能な受部１３が設けられており、この受部１３に設けられた穴部１６および貫通穴１２に締付ボルト６を挿入して雌ねじ部２３にねじ締めするように構成したことにより、締付ボルト６のつまみ部２５を回すのみで締付ボルト６の雄ねじ部２４が摺動ナット２０の雌ねじ部２３にねじ締めされて表示装置１と取付部材４とが取付固定されるものであり、部品点数を低減してシンプルな構造とすると共に、組み付け作業性を向上させた表示装置の取付構造を提供できる。
【００２１】
また、摺動ナット２０が凸部８内で回り止めされているため、摺動ナット２０を固定した状態で締付ボルト６を締め付ける必要がなく、組み付け作業性が良い。このことは、支持部材５と取付部材４とを摺動ナット２０と締付ボルト６を用いて予め組み付けておく必要がなく、この点からも組み付け作業性が良くなる。
【００２２】
また、角度調整が可能な方向と直交する方向であって、取付部材４の穴部１６の中心を通る線上に対応する取付部材４に突出部１８を設けて、下ケース３の底面部７に弾性ゴム１９を介して表示装置１を角度調整が可能な方向に回動可能に突き当てたことにより、取付部材４による表示装置１を支える箇所が２箇所となり、振動などが加わった場合であっても表示装置１の振れを抑えることができる。さらに、２点支持であっても表示装置１の角度調整が可能である。
【００２３】
なお、本実施形態に於いては取付部材４に表示装置１を左右方向に角度調整が可能に取り付けたが、上下方向に角度調整が可能な様に取り付けても良い。また、摺動ナット２０の平面１５Ａが下ケース３の底面部７に設けた傾斜面２７に当接することによって表示装置１の最大回動可能な範囲（角度）が定まるようにしたが、表示装置１（支持部材５）を傾けた際、貫通穴１２の切り口面が締付ボルト６に当接することによって定まるようにしても良く、あるいは取付部材４の受部１３と支持部材５との間で最大回動可能な範囲が定まるようにしても良い。
【００２４】
また、取付部材４から突出部１８を一体に設けたが、下ケース３の底面部７から突出部を設けて取付部材４に突き当てるようにしても良く、あるいは取付部材４と底面部７の両方より突出部を設けてそれぞれを突き当てるようにしても良い。また、弾性ゴム１９を介したが弾性ゴム１９は無くとも良い。但し、弾性ゴム１９が有った方が振動が加わった際に発生しやすい異音やこすれ粉を抑えることができる。また、突出部１８の先端を半球形状としたが、断面半円形であっても良い。要するに表示装置１を角度調整する際に、突出部１８との間で底面部７が回動するようになっていれば良い。
【００２５】
また、支持部材５と取付部材４とを締付ボルト６と摺動ナット２０とで締め付け固定した後、支持部材５を下ケース３にビス２９を用いて取付固定しても良いものとする。
【図面の簡単な説明】
【００２６】
【図１】本発明の実施形態の表示装置の取付構造を示す断面図。
【図２】同実施形態の表示装置の取付構造を示す裏面図。
【図３】同実施形態の表示装置の取付構造を示す断面図（図２に於けるＡ−Ａ断面）。
【図４】同実施形態の支持部材の凸部を示す裏面図。
【図５】同実施形態の摺動ナットを示す正面図。
【図６】同実施形態の摺動ナットの断面図（図５に於けるＢ−Ｂ断面）。
【符号の説明】
【００２７】
１  表示装置
４  取付部材
５  支持部材
６  締付ボルト
７  底面部
８  凸部
９  凸球面（外面）
１０  凹球面（内面）
１２  貫通穴
１３  受部
１６  穴部
１８  突出部
２０  摺動ナット
２３  雌ねじ部
【図１】
0004636359.tif 000002
【図２】
0004636359.tif 000003
【図３】
0004636359.tif 000004
【図４】
0004636359.tif 000005
【図５】
0004636359.tif 000006
【図６】
0004636359.tif 000007